(57)【要約】【課題】特に調整が簡単で安定的に位置決めることが可能な手工具ホルダを提供する。【解決手段】本発明の調整式手工具ホルダは、レール部材と、位置決めプレートと、少なくとも１つの位置決め部材を有し、そのうち、該レール部材は、摺動溝を備え、該位置決めプレートは、該レール部材に取り付けられ、その中央部分に貫通状の複数の係合穴が間隔をおいて形成され、該位置決め部材は、該位置決めプレートに当接しながらレール部材の摺動溝に嵌設され、その底面に係合凸部が凸設され、該係合凸部が位置決めプレートの何れか１つの係合穴に係合されることによって、位置決め部材をしっかりと位置決めプレートに位置決めてレール部材に対するずれを防止する。【選択図】図１
2017202551.tif 000002
【特許請求の範囲】
【請求項１】
細長状を呈する座体であり、メインプレート及び、該メインプレートの上面に凸設されると共に、上開口及び、該上開口と連通する摺動溝を有する摺動レールを備える、レール部材と、
前記レール部材に取り付けられ、長手方向の両側から中央部分へ行くにつれて上方へ湾曲状に膨らむように形成され、その上面の中央部分が結合レールの連通開口に突出する共に、該中央部分に貫通状の複数の係合穴が間隔をおいて形成される、位置決めプレートと、
摺動座及び延出部を備え、該摺動座は、位置決めプレートに当接しながら、摺動レールの摺動溝に嵌設されると共に、本体と、位置決め部と、係合凸部とを備え、その内、本体は、位置決めプレートに当接するように摺動可能に摺動レールの摺動溝に設置され、該位置決め部は、本体の中央部分に横方向に凸設され、該係合凸部は、位置決め部の底面に凸設され、位置決めプレートの何れか１つの係合穴に係合され、摺動座をしっかりと位置決めプレートに位置決めてレール部材に対するずれを防ぎ、該延出部は、摺動座の上面に凸設され、摺動可能に前記レール部材に設置される、少なくとも１つの位置決め部材と、を有することを特徴とする調整式手工具ホルダ。
【請求項２】
前記位置決め部材は、摺動レールの上開口から外部に突出するように、摺動座における位置決め部の上面に凸設される押圧アームを有することを特徴とする請求項１に記載の調整式手工具ホルダ。
【請求項３】
前記位置決め部材の摺動座における本体を縦方向に貫通するように、位置決め部の両側に２つの凹部が形成され、該両側の凹部によって位置決め部が本体に対して弾性変形することを特徴とする請求項２に記載の調整式手工具ホルダ。
【請求項４】
前記レール部材のメインプレートの底面に結合レールが設けられ、該結合レールは、連通開口及び結合溝を備え、その内、連通開口は、摺動溝と連通するようにメインプレートの底面に形成されると共に、該結合溝は、連通開口と連通するように結合レールとメインプレートとの間に形成され、
前記位置決めプレートは、レール部材の結合レールに取り付けられ、その長手方向の両側にそれぞれ、結合レール１３に嵌め込まれる結合バーが設けられ、該長手方向の両側から中央部分へ行くにつれて上方へ湾曲状に膨らむように形成され、
また、前記位置決めプレートは、上面の中央部分が結合レールの連通開口から突出すると共に、底面の中央部分の長手方向に、結合レールの結合溝と連通する凹部が凹設され、
前記位置決めプレート係合穴は、凹部を介して結合溝と連通すると共に、連通開口を介して摺動レールの摺動溝と連通することを特徴とする請求項３に記載の調整式手工具ホルダ。
【請求項５】
前記レール部材に少なくとも１対の位置決め部材が設置され、該各位置決め部材の延出部は、摺動座に凸設される挟持アームであり、その自由端は上開口から摺動レールの外部に突出し、また、該自由端に掛止フックが設けられ、該各対の位置決め部材において、掛止フックが対向するように延設されることを特徴とする請求項４に記載の調整式手工具ホルダ。
【請求項６】
さらに、レール延設部材及び位置決め延設プレートを有し、該レール延設部材は、レール部材と平行するように連結板を介して該レール部材に組み合わされ、該位置決め延設プレートは、レール延設部材に嵌め込まれ、
前記少なくとも１つの位置決め部材は、レール部材またはレール延設部材に設置されることを特徴とする請求項４に記載の調整式手工具ホルダ。
【請求項７】
前記各位置決め部材の延出部は、摺動座に凸設される中空状のブロックであり、少なくとも１つの工具穴と、工具溝と、スリットを備え、そのうち、少なくとも１つの工具穴は、スクリュードライバの軸を挟持するために、延出部の両側の壁を貫通するように形成され、該工具溝は、工具穴と連通すると共に、延出部の両側の壁を貫通するように形成され、該スリットは、工具穴と連通するように、延出部における、工具溝と反対する側の上面及び両側の壁を貫通するように形成されることを特徴とする請求項６に記載の調整式手工具ホルダ。
【請求項８】
前記レール部材に組み合わされるフレームを有し、該フレームは、第一支持台と、２つの支持フレームと、２つの挟持板と、第二支持台とを備え、その内、第一支持台は、レール部材の一端に取り付けられ、該２つの支持フレームはそれぞれ、レール部材の両側に位置しながら第一支持台に結合され、該挟持板は、２つの支持フレームに取り付けられると共に、該挟持板の上面に支持フレームに向かって複数の挟持爪が延設され、該第二支持台は、両側の支持フレームを連接するようにレール部材の他端に取り付けられ、また、該第二支持台の長さは第一支持台の長さよりも長く、それら第一支持台と、第二支持台と、２つの支持フレームとにより台形のフレームを構成することを特徴とする請求項４に記載の調整式手工具ホルダ。
【請求項９】
前記各位置決め部材の延出部は、摺動座の上面に凸設される弾性アームであり、湾曲部及び制限部を備え、その内、湾曲部は、自由端が摺動レールから突出するように、摺動座の上面に湾曲状に凸設され、該制限部は、湾曲部の自由端に凸設されることを特徴とする請求項８に記載の調整式手工具ホルダ。
【請求項１０】
前記レール部材のメインプレートの底面に、封止レールが結合レールをカバーするように凸設され、該封止レールの底部に底開口が形成されることを特徴とする請求項４乃至９の何れか１項に記載の調整式手工具ホルダ。
【発明の詳細な説明】
【技術分野】
【０００１】
本発明は、特に調整が簡単で安定的に位置決めることができる手工具ホルダに関するものである。
【背景技術】
【０００２】
既存の手工具ホルダは、レール部材及び複数の固定部材を有し、その内、レール部材は細長状を呈し、上面にレールが凹設され、該各固定部材は、摺動可能に該レール部材に設置され、掛け座及び延設部を備え、該掛け座がレールに取り付けられ、該延設部がレールから突出するように掛け座の上面に凸設される。この構造によれば、ソケットや、レンチ、ドライバなどの手工具を各固定部材に掛止させたり挟持させたりして収納することができる。
【先行技術文献】
【特許文献】
【０００３】
【特許文献１】台湾特許第Ｉ４６００６０号公報
【特許文献２】米国特許第９１２６３２９号公報
【発明の概要】
【発明が解決しようとする課題】
【０００４】
しかしながら、既存の手工具ホルダは、手工具を収納することはできるが、掛け座をレールに固定するための構造を有しないことから、手工具をしっかりと掛止や挟持により固定することができない。そのため、既存の手工具ホルダを運ぶ時、或いは、不注意による接触により移動しそうになった時、それらの固定部材の掛け座がずれてしまうので、手工具をホルダに位置決めることができないと共に、使用者が手工具を一々元の位置に戻して調整する必要があり、更に、手工具を元の位置に戻す時には、手工具が落下して使用者に怪我をさせてしまう恐れもあるので、改良する必要があった。
【課題を解決するための手段】
【０００５】
本発明の調整式手工具ホルダは、細長状を呈する座体であり、メインプレート及び、該メインプレートの上面に凸設されると共に、上開口及び、該上開口と連通する摺動溝を有する摺動レールを備える、レール部材と、
前記レール部材に取り付けられ、長手方向の両側から中央部分へ行くにつれて上方へ湾曲状に膨らむように形成され、その上面の中央部分が結合レールの連通開口に突出する共に、該中央部分に貫通状の複数の係合穴が間隔をおいて形成される、位置決めプレートと、
摺動座及び延出部を備え、該摺動座は、位置決めプレートに当接しながら、摺動レールの摺動溝に嵌設されると共に、本体と、位置決め部と、係合凸部とを備え、その内、本体は、位置決めプレートに当接するように摺動可能に摺動レールの摺動溝に設置され、該位置決め部は、本体の中央部分に横方向に凸設され、該係合凸部は、位置決め部の底面に凸設され、位置決めプレートの何れか１つの係合穴に係合され、摺動座をしっかりと位置決めプレートに位置決めてレール部材に対するずれを防ぎ、該延出部は、摺動座の上面に凸設され、摺動可能に前記レール部材に設置される、少なくとも１つの位置決め部材と、を有するものである。
【０００６】
かかる調整式手工具ホルダにおいて、前記位置決め部材は、摺動レールの上開口から外部に突出するように、摺動座における位置決め部の上面に凸設される押圧アームを有することが好ましい。
【０００７】
かかる調整式手工具ホルダにおいて、前記位置決め部材の摺動座における本体を縦方向に貫通するように、位置決め部の両側に２つの凹部が形成され、該両側の凹部によって位置決め部が本体に対して弾性変形することが好ましい。
【０００８】
かかる調整式手工具ホルダにおいて、前記レール部材のメインプレートの底面に結合レールが設けられ、該結合レールは、連通開口及び結合溝を備え、その内、連通開口は、摺動溝と連通するようにメインプレートの底面に形成されると共に、該結合溝は、連通開口と連通するように結合レールとメインプレートとの間に形成され、
前記位置決めプレートは、レール部材の結合レールに取り付けられ、その長手方向の両側にそれぞれ、結合レール１３に嵌め込まれる結合バーが設けられ、該長手方向の両側から中央部分へ行くにつれて上方へ湾曲状に膨らむように形成され、
また、前記位置決めプレートは、上面の中央部分が結合レールの連通開口から突出すると共に、底面の中央部分の長手方向に、結合レールの結合溝と連通する凹部が凹設され、
前記位置決めプレート係合穴は、凹部を介して結合溝と連通すると共に、連通開口を介して摺動レールの摺動溝と連通することが好ましい。
【０００９】
かかる調整式手工具ホルダにおいて、前記レール部材に少なくとも１対の位置決め部材が設置され、該各位置決め部材の延出部は、摺動座に凸設される挟持アームであり、その自由端は上開口から摺動レールの外部に突出し、また、該自由端に掛止フックが設けられ、該各対の位置決め部材において、掛止フックが対向するように延設されることが好ましい。
【００１０】
かかる調整式手工具ホルダにおいて、さらに、レール延設部材及び位置決め延設プレートを有し、該レール延設部材は、レール部材と平行するように連結板を介して該レール部材に組み合わされ、該位置決め延設プレートは、レール延設部材に嵌め込まれ、
前記少なくとも１つの位置決め部材は、レール部材またはレール延設部材に設置されることが好ましい。
【００１１】
かかる調整式手工具ホルダにおいて、前記各位置決め部材の延出部は、摺動座に凸設される中空状のブロックであり、少なくとも１つの工具穴と、工具溝と、スリットを備え、そのうち、少なくとも１つの工具穴は、スクリュードライバの軸を挟持するために、延出部の両側の壁を貫通するように形成され、該工具溝は、工具穴と連通すると共に、延出部の両側の壁を貫通するように形成され、該スリットは、工具穴と連通するように、延出部における、工具溝と反対する側の上面及び両側の壁を貫通するように形成されることが好ましい。
【００１２】
かかる調整式手工具ホルダにおいて、前記レール部材に組み合わされるフレームを有し、該フレームは、第一支持台と、２つの支持フレームと、２つの挟持板と、第二支持台とを備え、その内、第一支持台は、レール部材の一端に取り付けられ、該２つの支持フレームはそれぞれ、レール部材の両側に位置しながら第一支持台に結合され、該挟持板は、２つの支持フレームに取り付けられると共に、該挟持板の上面に支持フレームに向かって複数の挟持爪が延設され、該第二支持台は、両側の支持フレームを連接するようにレール部材の他端に取り付けられ、また、該第二支持台の長さは第一支持台の長さよりも長く、それら第一支持台と、第二支持台と、２つの支持フレームとにより台形のフレームを構成することが好ましい。
【００１３】
かかる調整式手工具ホルダにおいて、前記各位置決め部材の延出部は、摺動座の上面に凸設される弾性アームであり、湾曲部及び制限部を備え、その内、湾曲部は、自由端が摺動レールから突出するように、摺動座の上面に湾曲状に凸設され、該制限部は、湾曲部の自由端に凸設されることが好ましい。
【００１４】
かかる調整式手工具ホルダにおいて、前記レール部材のメインプレートの底面に、封止レールが結合レールをカバーするように凸設され、該封止レールの底部に底開口が形成されることが好ましい。
【発明の効果】
【００１５】
上述の構造を有する、本発明の調整式手工具ホルダを使用する時は、位置決め部材と位置決めプレート、位置決め延設プレートとの間に、係合凸部及び係合穴が設置されていることから、該位置決め部材を位置決めプレート、位置決め延設プレートに当接させることにより確実に結合することができる。
故に、前記各位置決め部材に掛止される手工具は、手工具ホルダを移動させてもずれることがないことから、各手工具をしっかりと手工具ホルダに位置決めることができ、更に、調整式手工具ホルダを運ぶ時、或いは、不注意による接触により移動しそうになった時、各手工具を復位させる必要はなく、また、２つの挟持板及び対応する位置決め部材に掛止される手工具に衝突を受けては、手工具が該２つの挟持板及び対応する位置決め部材から脱落することはなく、使用者の負傷を防止することができる。
【図面の簡単な説明】
【００１６】
【図１】本発明に係る第一実施例の斜視図である。
【図２】本発明に係る第一実施例の部分拡大分解斜視図である。
【図３】本発明に係る第一実施例における操作状態を示す部分拡大断面図である。
【図４】本発明に係る第一実施例において、手工具を挟持する状態を示す斜視図である。
【図５】本発明に係る第二実施例の斜視図である。
【図６】本発明に係る第二実施例の部分拡大分解斜視図である。
【図７】本発明に係る第二実施例における操作状態を示す部分拡大側面断面図である。
【図８】本発明に係る第二実施例において、手工具を挟持する状態を示す斜視図である。
【図９】本発明に係る第三実施例の斜視図である。
【図１０】本発明に係る第三実施例の部分拡大分解斜視図である。
【図１１】本発明に係る第三実施例において、手工具を挟持する状態を示す斜視図である。
【図１２】本発明に係る第三実施例における操作状態を示す部分拡大側面断面図である。
【発明を実施するための形態】
【００１７】
図１乃至図４に示すように、本発明に係る調整式手工具ホルダの第一実施例は、レール部材１０と、位置決めプレート２０と、少なくとも１対の位置決め部材３０とを有する。
【００１８】
前記レール部材１０は、アルミ押出型材からなるものであって、細長状を呈する座体であり、メインプレート１１と、摺動レール１２と、結合レール１３と、封止レール１４とを備え、そのうち、メインプレート１１は、矩形のプレートであり、該摺動レール１２は、メインプレート１１の上面に凸設され、その上面に上開口１２１が形成されると共に、内側面に上開口１２１と連通する摺動溝１２２が形成され、該結合レール１３は、メインプレート１１の底面に凸設され、連通開口１３１及び結合溝１３２を備え、その内、連通開口１３１は、摺動溝１２２と連通するようにメインプレート１１の底面に形成され、該結合溝１３２は、連通開口１３１と連通するように結合レール１３とメインプレート１１との間に形成され、該結合レール１３の連通開口１３１の幅は、摺動レール１２の上開口１２１の幅よりも小さい。また、前記封止レール１４は、結合レール１３をカバーするようにメインプレート１１の底面に凸設され、その底部に底開口１４１が形成される。尚、前記封止レール１４は、摺動レール１２と一体に成形されることが好ましい。
【００１９】
前記位置決めプレート２０は、弾性を備えたプレートであり、レール部材１０の結合レール１３に取り付けられ、長手方向の両側にそれぞれ、結合レール１３に嵌め込まれる結合バー２１が設けられ、また、該位置決めプレート２０は、長手方向の両側から中央部分へ行くにつれて略上方へ湾曲状に膨らむように形成され、その上面の中央部分が結合レール１３の連通開口１３１に突出する。
さらに、前記位置決めプレート２０の底面の中央部分に、結合レール１３の結合溝１３２と連通する縦方向の凹部２２が凹設され、これにより、該位置決めプレート２０の中央部分と結合レール１３との間に隙間を構成し、該位置決めプレート２０の中央部分が弾性変形する時の空間とする。
また、前記位置決めプレート２０の中央部分に該位置決めプレート２０を貫通するように複数の係合穴２３が間隔をおいて形成され、該係合穴２３は、凹部２２を通じて結合溝１３２と連通すると共に、連通開口１３１を通じて摺動レール１２の摺動溝１２２と連通する。
【００２０】
前記各位置決め部材３０は、摺動座３１と、延出部３２と、押圧アーム３３とを備え、そのうち少なくとも１対の位置決め部材３０が摺動可能にレール部材１０に設置され、該摺動座３１は、位置決めプレート２０に当接しながら、摺動レール１２の摺動溝１２２に嵌設されると共に、本体３１１と、位置決め部３１２と、２つの凹部３１３と、係合凸部３１４とを備え、その内、本体３１１は、Ｕ字形を呈し、位置決めプレート２０に当接するように、摺動可能に摺動レール１２の摺動溝１２２に設置され、該位置決め部３１２は弾性を備え、本体３１１の中央部分に横方向に凸設され、該２つの凹部３１３は、本体３１１を縦方向に貫通するように、位置決め部３１２の両側に形成される。この構成によれば、前記位置決め部３１２が両側の凹部３１３で本体３１１に対して弾性変形することにより位置決めプレート２０から離間することができ、更に、前記係合凸部３１４は、位置決め部３１２の底面に凸設され、位置決めプレート２０の何れか１つの係合穴２３に係合されるため、摺動座３１はしっかりと位置決めプレート２０に位置決めされるので、レール部材１０に対してずれることはない。
【００２１】
前記延出部３２は、手工具を保持するためのものであり、摺動レール１２の上開口１２１から突出するように摺動座３１の上面に凸設される。尚、本発明の第一実施例における各位置決め部材３０の延出部３２は、摺動座３１に凸設される挟持アームであり、その自由端が上開口１２１を通って摺動レール１２の外部から突出し、該自由端に保持フック３２１が設けられ、該各対の位置決め部材３０における、保持フック３２１が互いに面するように延設されると共に、延出部３２の間に挟持空間が形成される。
前記押圧アーム３３は通常、上開口１２１を通って摺動レール１２の外部から突出するように摺動座３１に凸設されるが、本実施例に示すように、押圧アーム３３は、摺動座３１の位置決め部３１２の上面に凸設されることが好ましい。
【００２２】
図３に示すように、本発明の第一実施例では、前記各対の位置決め部材３０における隣り合う２つの押圧アーム３３を接近させるように押圧すると、隣り合う２つの延出部３２との間の挟持空間を調整することができ、また、押圧アーム３３を位置決め部材３０の延出部３２と接近するように押圧して、位置決め部３１２の下方にある係合凸部３１４を位置決めプレート２０の係合穴２３から離脱させると、摺動座３１を位置決めプレート２０に沿ってレール部材１０に対して摺動させることができ、延出部３２の間の挟持空間を調整することができる。そして、その挟持空間の調整が完了した時、その押圧アーム３３を解放して摺動座３１の位置決め部３１２を元の位置に戻し、すなわち、位置決め部３１２の下方にある係合凸部３１４を位置決めプレート２０の係合穴２３に係合すれば、該対の位置決め部材３０をしっかりと位置決めプレート２０に位置決めることができる。
【００２３】
図４に示すように、ペンチ７０や、ハイブリッドレンチ７１、モンキーレンチ７２、ソケットレンチ７３、六角レンチ７４、スクリュードライバ７５などのタイプの異なる手工具は、各対の位置決め部材３０における２つの延出部３２の間に挟持され、この時、該各対の位置決め部材３０の２つの掛止フック３２１によって手工具の脱落を防止する。
また、本発明の構成によれば、手工具ホルダが移動しそうになったとき、例えば、手工具ホルダが不注意による接触により移動しそうになった時には、各位置決め部材３０の係合凸部３１４が位置決めプレート２０の係合穴２３に係合されることによって、手工具をしっかりと手工具ホルダに位置決めることができる各対の位置決め部材３０に掛止される手工具が移動したり脱落したりすることはない。
【００２４】
図５及び図６は、本発明に係る調整式手工具ホルダの第二実施例である。以下、図１乃至図４に示した第一実施例との相違点について説明する。
本発明の調整式手工具ホルダの第二実施例はさらに、レール延設部材１０Ａ及び位置決め延設プレート２０Ａを有し、該レール延設部材１０Ａは、レール部材１０と平行に連結板１５Ａを介して該レール部材１０に組み合わされ、その構造はレール部材１０と殆ど同一であり、一方、該位置決め延設プレート２０Ａは、レール延設部材１０Ａに嵌め込まれ、位置決めプレート２０の構造と殆ど同一である。更に、第二実施例は、少なくとも１つの位置決め部材３０Ａを有し、該少なくとも１つの位置決め部材３０Ａは、レール部材１０またはレール延設部材１０Ａに設置され、また、該各位置決め部材３０Ａは、摺動座３１Ａ及び延出部３２Ａを備え、該摺動座３１Ａは、摺動可能にレール部材１０またはレール延設部材１０Ａに設置され、該延出部３２Ａは、摺動座３１Ａに凸設される中空状のブロックであり、少なくとも１つの工具穴３２２Ａと、工具溝３２３Ａと、スリット３２４Ａを備え、そのうち、少なくとも１つの工具穴３２２Ａは、延出部３２Ａの両側壁を貫通するように形成されるので、図８に示すように、スクリュードライバ７５の軸７５１を挟持することができ、一方、該工具溝３２３Ａは、工具穴３２２Ａと連通するように延出部３２Ａの両側壁を貫通するように形成され、該スリット３２４Ａは、工具穴３２２Ａと連通するように、延出部３２Ａにおける、工具溝３２３Ａと反対する側の上面かつ両側壁を貫通するように形成される。
【００２５】
図７に示すように、本発明の第二実施例を使用する時は、各対の位置決め部材３０Ａを、摺動可能にレール部材１０またはレール延設部材１０Ａに設置し、つまり、位置決めプレート２０または位置決め延設プレート２０Ａに沿って摺動可能に位置させる。そして、押圧アーム３３Ａを位置決め部材３０Ａの延出部３２Ａ側に押圧して、２つの係合凸部３１４を位置決めプレート２０の係合穴２３、２３Ａから離脱させると、２つの摺動座３１Ａが位置決めプレート２０または位置決め延設プレート２０Ａに沿って摺動可能となる。そのため、それぞれレール部材１０及びレール延設部材１０Ａに設置された２つの位置決め部材３０は、一直線状に対応するように排列されることができる。
そして、前記２つの位置決め部材３０を適当な位置に調整した後、２つの押圧アーム３３Ａを解放して２つの摺動座３１Ａの係合凸部３１４を位置決めプレート２０または位置決め延設プレート２０Ａの係合穴２３、２３Ａに係合させれば、該２つの位置決め部材３０をしっかりと位置決めプレート２０または位置決め延設プレート２０Ａに位置決めることができる。
【００２６】
図８に示すように、スクリュードライバ７５は、そその軸７５１が一直線となるように２つの位置決め部材３０Ａに掛止され、該２つの位置決め部材３０Ａの延出部３２Ａの工具溝３２３Ａも一直線の状態となるので、スクリュードライバ７５の軸７５１を位置決め部材３０Ａのスリット３２４Ａから嵌め込んで工具穴３２２Ａに挟持することができる。また、前記２つの位置決め部材３０Ａは、位置決めプレート２０、位置決め延設プレート２０Ａの係合穴２３、２３Ａと２つの位置決め部材３０Ａの係合凸部３１４との係合構造によって、しっかりとレール部材１０、レール延設部材１０Ａに設置されることから、手工具ホルダが移動しても、２つの位置決め部材３０Ａの間に挟持される手工具がずれることはないので、手工具をしっかりと手工具ホルダに保持することができる。
この構成によれば、手工具ホルダを運ぶ時、或いは、不注意による接触により移動しそうになった時、各手工具を復位させる必要がない。
また、前記各対の位置決め部材３０Ａに掛止される手工具は、外力による衝撃を受けても、分離することはないので、手工具が該対の位置決め部材３０Ａから脱落して使用者を負傷させることもない。
【００２７】
図９及び図１０は、本発明の調整式手工具ホルダの第三実施例を示すものである。以下、図１乃至図４に示した第一実施例と異なる点を説明する。
本発明の調整式手工具ホルダの第三実施例はさらに、レール部材１０に組み合わせるフレーム４０を有し、該フレーム４０は、第一支持台４１と、２つの支持フレーム４２と、２つの挟持板４３と、第二支持台４４とを備え、その内、第一支持台４１は、レール部材１０の一端に取り付けられ、使用者が第一支持台４１を持ち上げる時に使用する取っ手を提供するものであり、該２つの支持フレーム４２はそれぞれ、レール部材１０の両側に位置しながら第一支持台４１に結合され、該挟持板４３は、２つの支持フレーム４２に取り付けられ、その上面に支持フレーム４２に向かって複数の挟持爪４３１が延設され、該第二支持台４４は、両側の支持フレーム４２を連接するようにレール部材１０の他端に取り付けられる。また、その第二支持台４４の長さは、第一支持台４１の長さよりも長いことから、第一支持台４１と、第二支持台４４と、２つの支持フレーム４２により台形のフレーム４０が構成される。
【００２８】
前記各位置決め部材３０Ｂは、摺動座３１Ｂ及び延出部３２Ｂを備え、そのうちの少なくとも１つの位置決め部材３０Ｂは、摺動可能にレール部材１０に設置され、該摺動座３１Ｂは、摺動可能にレール部材１０の摺動レール１２に設置され、該延出部３２Ｂは、摺動座３１Ｂの上面に凸設される弾性アームであり、湾曲部３２５Ｂ及び制限部３２６Ｂを備え、該湾曲部３２５Ｂは、摺動座３１Ｂの上面に湾曲状に凸設され、摺動レール１２から突出する自由端を有し、該制限部３２６Ｂは、湾曲部３２５Ｂの自由端に凸設される。この構成によれば、図１１に示すように、ハイブリッドレンチ７１を掛止により収納することができる。
【００２９】
図１１及び図１２に示すように、本発明の調整式手工具ホルダの第三実施例を使用する時は、寸法の異なるハイブリッドレンチ７１をそれぞれ、単に２つの挟持板４３の挟持爪４３１により掛止すればよい。また、各位置決め部材３０Ｂにおける延出部３２Ｂのレール部材１０に対する位置は、位置決め部材３０Ｂの係合凸部３１４と位置決めプレート２０の係合穴２３との係合構造によって、レール部材１０に対して摺動させて調整することができると共に、該位置決め部材３０Ｂの制限部３２６Ｂは、対応するハイブリッドレンチ７１に当接する。また、前記各位置決め部材３０Ｂに湾曲部３２５Ｂを有する場合には、延出部３２Ｂがハイブリッドレンチ７１により接近するように押し付けることから、寸法の異なるハイブリッドレンチ７１をよりしっかりと且つ簡単にレール部材１０及びフレーム４０に収納することができるので、２つの挟持板４３と対応する位置決め部材３０Ｂの間に掛止される手工具は、手工具ホルダの移動過程においてずれることはない。このように、手工具ホルダを運ぶ時、或いは、不注意による接触により移動しそうになった時、各手工具を復位させる必要がない。また、２つの挟持板４３及び対応する位置決め部材３０Ｂに掛止する手工具に衝突を受けては、手工具が該２つの挟持板４３及び対応する位置決め部材３０Ａから脱落することはなく、使用者の負傷を防止することができる。
【００３０】
上述した構造によれば、本発明の調整式手工具ホルダを使用する時、位置決め部材３０、３０Ａ、３０Ｂと位置決めプレート２０、位置決め延設プレート２０Ａとの間に係合凸部３１４、３１４Ａ、３１４Ｂ及び係合穴２３、２３Ａ、２３が設置されることから、位置決め部材３０、３０Ａ、３０Ｂが位置決めプレート２０、位置決め延設プレート２０Ａに当接して確実に結合することができるので、前記各位置決め部材３０、３０Ａ、３０Ｂに掛止された手工具が、手工具ホルダの移動過程においてずれることはがない。故に、手工具ホルダを運ぶとき、或いは、不注意による接触により移動しそうになった時、各手工具を復位させる必要がない。また、２つの挟持板４３及び対応する位置決め部材３０Ｂに掛止する手工具に衝突を受けては、手工具が該２つの挟持板４３及び対応する位置決め部材３０Ａから脱落することはなく、使用者の負傷を防止することができる、調整式手工具ホルダを提供する。
【符号の説明】
【００３１】
１０    レール部材
１０Ａ    レール延設部材
１１      メインプレート
１２      摺動レール
１２１    上開口
１２２    摺動溝
１３      結合レール
１３１    連通開口
１３２    結合溝
１４      封止レール
１４１    底開口
１５Ａ    連結板
２０      位置決めプレート
２０Ａ    位置決め延設プレート
２１      結合バー
２２      凹部
２３      係合穴
３０、３０Ａ、３０Ｂ  位置決め部材
３１、３１Ａ、３１Ｂ  摺動座
３１１    本体
３１２    位置決め部
３１３    凹部
３１４    係合凸部
３２、３２Ａ、３２Ｂ  延出部
３２１    掛止フック
３２２Ａ  工具穴
３２３Ａ  工具溝
３２４Ａ  スリット
３２５Ｂ  湾曲部
３２６Ｂ  制限部
３３、３３Ａ  押圧アーム
４０      フレーム
４１      第一支持台
４２      支持フレーム
４３      挟持板
４３１    挟持爪
４４      第二支持台
７０      ペンチ
７１      ハイブリッドレンチ
７２      モンキーレンチ
７３      ソケットレンチ
７４      六角レンチ
７５      スクリュードライバ
７５１    軸
【図１】
2017202551.tif 000003
【図２】
2017202551.tif 000004
【図３】
2017202551.tif 000005
【図４】
2017202551.tif 000006
【図５】
2017202551.tif 000007
【図６】
2017202551.tif 000008
【図７】
2017202551.tif 000009
【図８】
2017202551.tif 000010
【図９】
2017202551.tif 000011
【図１０】
2017202551.tif 000012
【図１１】
2017202551.tif 000013
【図１２】
2017202551.tif 000014